(57)【要約】【課題】必要な回路構成を極力簡易化しながら、デジタル画像データを用いて液晶表示パネルを直接駆動する。【解決手段】ＶＧＡに準じた画素数構成を有する輝度色差系のデジタル画像データに対し、ＮＴＳＣ方式の水平走査周期に対応した横方向の構成画素数を変換する横画素変換部12と、この横画素数変換部12を経たデジタル画像データＹＵＶから原色系のデジタル画像データＲＧＢを生成して液晶表示部19に直接出力する液晶エンコーダ14とを備える。【選択図】      図２
2004194286.tif 000002
【特許請求の範囲】
【請求項１】
デジタル画像データの横画素数を、第１のテレビジョン方式のビデオ信号を生成するのに適した横画素数または該横画素数の半分の横画素数に変換する横画素数変換手段と、
この横画素数変換手段により横画素数が変換されたデジタル画像データを表示パネルの駆動回路にデジタル出力する第１の出力手段とを具備し、
上記表示パネルの横画素数は、上記第１のテレビジョン方式のビデオ信号を生成するのに適した横画素数または該横画素数の半分の横画素数と略一致することを特徴とする表示パネル用出力信号生成回路。
【請求項２】
上記第１のテレビジョン方式のビデオ信号を生成するのに適した横画素数は７０４画素または１４０８画素であり、
上記横画素数変換手段は、デジタル画像データの横画素数を３５２画素、７０４画素、または１４０８画素に変換し、
上記表示パネルの横画素数は、３５２画素、７０４画素、または１４０８画素と略一致することを特徴とする請求項１記載の表示パネル用出力信号生成回路。
【請求項３】
上記横画素数変換手段により第１のテレビジョン方式のビデオ信号を生成するのに適した横画素数に変換されたデジタル画像データから上記第１のテレビジョン方式に従ったデジタルのビデオ信号を生成する第１の生成手段と、
この第１の生成手段により生成されたビデオ信号を出力する第２の出力手段とをさらに具備したことを特徴とする請求項１または２記載の表示パネル用出力信号生成回路。
【請求項４】
上記横画素数変換手段により、第１のテレビジョン方式のビデオ信号を生成するのに適した横画素数に変換されたデジタル画像データを、第２のテレビジョン方式のビデオ信号を生成するのに適したデジタル画像データに変換する変換手段を備え、
上記第１の生成手段は、この変換手段により変換された第２のテレビジョン方式のビデオ信号を生成するのに適したデジタル画像データから上記第２のテレビジョン方式に従ったデジタルのビデオ信号を生成する手段を含むことを特徴とする請求項３記載の表示パネル用出力信号生成回路。
【請求項５】
上記横画素数変換手段により横画素数が変換されたデジタル画像データからデジタルのＲＧＢ信号を生成する第２の生成手段を備え、
上記第１の出力手段は、上記第２の生成手段により生成されたデジタルのＲＧＢ信号を表示パネルの駆動回路にデジタル出力することを特徴とする請求項１乃至４いずれかに記載の表示パネル用出力信号生成回路。
【請求項６】
上記横画素数変換手段は、
デジタル画像データの横画素数を、第１のテレビジョン方式のビデオ信号を生成するのに適した横画素数に変換する第１の横画素数変換手段と、
この第１の横画素数変換手段により横画素数が変換されたデジタル画像データの横画素数を、半分の横画素数に変換する第２の横画素数変換手段とを含み、
上記第１の出力手段は、
上記第２の横画素数変換手段により横画素数が変換されたデジタル画像データを表示パネルの駆動回路にデジタル出力することを特徴とする請求項１乃至４いずれかに記載の表示パネル用出力信号生成回路。
【請求項７】
上記第１の横画素数変換手段により横画素数が変換されたデジタル画像データからデジタルのＲＧＢ信号を生成する第２の生成手段を備え、
上記第２の横画素数変換手段は、上記第２の生成手段により生成されたデジタルのＲＧＢ信号の横画素数を半分の横画素数に変換することを特徴とする請求項６記載の表示パネル用出力信号生成回路。
【請求項８】
上記第２の横画素数変換手段は、
上記表示パネルが、１画素を構成するＲ，Ｇ，Ｂの３色要素を２ラインに跨って三角形状に配置したデルタ配列であり、且つ信号電極数が上記第１の横画素数変換手段が変換して出力する１ライン分の横画素数の半分である場合に、上記第１の横画素数変換手段により横画素数が変換されたデジタル画像データに対し、対応する２ライン中で横方向に隣接する同一色の要素が相互に１．５画素分ずれるように間引くことにより半分の横画素数に変換することを特徴とする請求項６または７記載の表示パネル用出力信号生成回路。
【請求項９】
デジタル画像データを上記横画素数変換手段に供給するビデオメモリと、
上記ビデオメモリの出力と第１の横画素数変換手段の出力のいずれか一方を切換選択する切換選択手段とをさらに具備し、
上記切換選択手段により切換選択されたビデオメモリの出力または第１の横画素数変換手段の出力を上記第２の横画素数変換手段に供することを特徴とする請求項６乃至８いずれかに記載の表示パネル用出力信号生成回路。
【請求項１０】
デジタル画像データを上記横画素数変換手段に供給するビデオメモリをさらに具備したことを特徴とする請求項１乃至９いずれかに記載の表示パネル用出力信号生成回路。
【請求項１１】
デジタル画像データを上記横画素数変換手段に供給するビデオメモリと、
上記ビデオメモリの出力と横画素数変換手段の出力のいずれか一方を切換選択する切換選択手段とをさらに具備し、
上記第１の出力手段は、上記切換選択手段により切換選択されたビデオメモリの出力または横画素数変換手段の出力を表示パネルの駆動回路にデジタル出力することを特徴とする請求項１乃至５いずれかに記載の表示パネル用出力信号生成回路。
【請求項１２】
上記ビデオメモリから供給されるデジタル画像データの横画素数を変換する第３の横画素数変換手段をさらに具備し、
上記切換選択手段は、上記第３の横画素数変換手段の出力と横画素数変換手段の出力のいずれか一方を切換選択し、
上記第１の出力手段は、上記切換選択手段により切換選択された第３の横画素数変換手段の出力または横画素数変換手段の出力を表示パネルの駆動回路にデジタル出力することを特徴とする請求項１１記載の表示パネル用出力信号生成回路。
【請求項１３】
上記横画素数変換手段は、さらに、デジタル画像データの横画素数を、第１のテレビジョン方式のビデオ信号を生成するのに適した横画素数及び該横画素数の半分の横画素数以外の所定の横画素数に変換する手段を含み、
上記表示パネルは、さらに、上記所定の横画素数の表示パネルを含むことを特徴とする請求項１乃至８いずれかに記載の表示パネル用出力信号生成回路。
【請求項１４】
デジタル画像データを供給するビデオメモリと、
このビデオメモリから供給されるデジタル画像データを表示パネルの駆動回路にデジタル出力する第１の出力手段と、
上記ビデオメモリから供給されるデジタル画像データの横画素数を、第１のテレビジョン方式のビデオ信号を生成するのに適した横画素数に変換する第１の横画素数変換手段と、
この第１の横画素数変換手段により横画素数が変換されたデジタル画像データから上記第１のテレビジョン方式に従ったデジタルのビデオ信号を生成する第１の生成手段と、
この第１の生成手段により生成されたビデオ信号を出力する第２の出力手段と、
を具備したことを特徴とする表示パネル用出力信号生成回路。
【請求項１５】
上記第１のテレビジョン方式のビデオ信号を生成するのに適した横画素数は７０４画素または１４０８画素であり、
上記第１の横画素数変換手段は、デジタル画像データの横画素数を７０４画素または１４０８画素に変換することを特徴とする請求項１４記載の表示パネル用出力信号生成回路。
【請求項１６】
上記ビデオメモリから供給されるデジタル画像データからデジタルのＲＧＢ信号を生成する第２の生成手段を備え、
上記第１の出力手段は、上記第２の生成手段により生成されたデジタルのＲＧＢ信号を表示パネルの駆動回路にデジタル出力することを特徴とする請求項１４または１５記載の画像信号生成装置。
【請求項１７】
上記ビデオメモリから供給されるデジタル画像データの横画素数を変換する第２の横画素数変換手段をさらに具備し、
上記第１の出力手段は、上記第２の横画素数変換手段により画素数が変換されたデジタル画像データを表示パネルの駆動回路にデジタル出力することを特徴とする請求項１４乃至１６いずれかに記載の表示パネル用出力信号生成回路。
【請求項１８】
上記ビデオメモリから供給されるデジタル画像データの横画素数は３２０画素であり、
上記第２の横画素数変換手段は、デジタル画像データの横画素数を４８０画素に変換し、
上記表示パネルの横画素数は、４８０画素と略一致することを特徴とする請求項１７記載の表示パネル用出力信号生成回路。
【請求項１９】
上記第１の横画素数変換手段が出力する、第１のテレビジョン方式のビデオ信号を生成するのに適した横画素数のデジタル画像データから、第２のテレビジョン方式のビデオ信号を生成するのに適したデジタル画像データに変換する変換手段を備え、
上記第１の生成手段は、
この変換手段により変換された第２のテレビジョン方式のビデオ信号を生成するのに適したデジタル画像データから、上記第２のテレビジョン方式に従ったデジタルのビデオ信号を生成する手段を含むことを特徴とする請求項１４乃至１８いずれかに記載の表示パネル用出力信号生成回路。
【請求項２０】
上記第１のテレビジョン方式のビデオ信号はＮＴＳＣ信号であることを特徴とする請求項１乃至１９いずれかに記載の表示パネル用出力信号生成回路。
【請求項２１】
上記第２のテレビジョン方式のビデオ信号はＰＡＬ信号であることを特徴とする請求項４または１９記載の表示パネル用出力信号生成回路。
【請求項２２】
上記第１の出力手段は、パラレルな原色系のデジタル画像データをシリアルデータに変換して表示パネルの駆動回路にデジタル出力することを特徴とする請求項１乃至２１いずれかに記載の表示パネル用出力信号生成回路。
【請求項２３】
被写体を撮像し、デジタル画像データを出力する撮像手段と、
この撮像手段から出力されたデジタル画像データの横画素数を、第１のテレビジョン方式のビデオ信号を生成するのに適した横画素数または該横画素数の半分の横画素数に変換する横画素数変換手段と、
この横画素数変換手段により横画素数が変換されたデジタル画像データを表示パネルの駆動回路に出力する第１の出力手段とを具備し、
上記表示パネルの横画素数は、上記第１のテレビジョン方式のビデオ信号を生成するのに適した横画素数または該横画素数の半分の横画素数と略一致することを特徴とするデジタルカメラ。
【請求項２４】
被写体を撮像し、デジタル画像データを出力する撮像手段と、
この撮像手段から出力されたデジタル画像データを記憶するビデオメモリと、
このビデオメモリから供給されるデジタル画像データを表示パネルの駆動回路にデジタル出力する第１の出力手段と、
上記ビデオメモリから供給されるデジタル画像データの横画素数を、第１のテレビジョン方式のビデオ信号を生成するのに適した横画素数に変換する第１の横画素数変換手段と、
この第１の横画素数変換手段により横画素数が変換されたデジタル画像データから上記第１のテレビジョン方式に従ったデジタルのビデオ信号を生成する第１の生成手段と、
この第１の生成手段により生成されたビデオ信号を出力する第２の出力手段と、
を具備したことを特徴とするデジタルカメラ。
【請求項２５】
デジタル画像データの横画素数を、第１のテレビジョン方式のビデオ信号を生成するのに適した横画素数または該横画素数の半分の横画素数に変換する工程と、
この横画素数が変換されたデジタル画像データを表示パネルの駆動回路にデジタル出力する工程とを有し、
上記表示パネルの横画素数は、上記第１のテレビジョン方式のビデオ信号を生成するのに適した横画素数または該横画素数の半分の横画素数と略一致することを特徴とする表示パネル用出力信号生成方法。
【請求項２６】
デジタル画像データをビデオメモリに記憶する工程と、
上記ビデオメモリから供給されるデジタル画像データを表示パネルの駆動回路にデジタル出力する工程と、
上記ビデオメモリから供給されるデジタル画像データの横画素数を、第１のテレビジョン方式のビデオ信号を生成するのに適した横画素数に変換する工程と、
この横画素数が変換されたデジタル画像データから上記第１のテレビジョン方式に従ったデジタルのビデオ信号を生成する工程と、
生成されたビデオ信号を出力する工程と、
を有することを特徴とする表示パネル用出力信号生成方法。
【発明の詳細な説明】
【技術分野】
【０００１】
本発明は、表示パネルに出力する画像信号を生成する表示パネル用出力信号生成回路、デジタルカメラ及び表示パネル用出力信号生成方法に関する。
【背景技術】
【０００２】
デジタルカメラでは、撮影により得られるＹＵＶ信号から、外部出力するためのビデオ信号と液晶ファインダを駆動するためのＲＧＢ信号とを生成するエンコーダ回路が設けられている。
【０００３】
この種のエンコーダ回路では、アナログのＲＧＢ信号または外部出力用のアナログビデオ信号を液晶ファインダの構成画素数に合わせたサンプリング周波数でサンプリングして液晶ファインダ用の表示データを作成するものとしている。
【０００４】
また、外部出力するためのアナログ値のビデオ信号と共に、液晶ファインダを構成するＴＦＴ液晶表示パネルの駆動回路へ直接供給するためのデジタル値のＲＧＢ信号を生成するようなエンコーダ回路について記載した文献もある。（例えば、特許文献１参照。）
【特許文献１】特開２００１−０５４１３４号公報
【発明の開示】
【発明が解決しようとする課題】
【０００５】
一般に撮影により得られる画像データは、画像処理の事実上の規格である縦４８０画素×横６４０画素のＶＧＡ（Ｖｉｄｅｏ  Ｇｒａｐｈｉｃｓ  Ａｒｒａｙ）に準拠した画素構成を有している。
【０００６】
これに対して、我が国の標準テレビジョン方式であるＮＴＳＣ方式のためのビデオ信号を外部出力するためには、上記ＶＧＡの画素数の画像データを基準にするものとすると、１水平ラインの走査タイミングの関係から導き出される１３．５［ＭＨｚ］のサンプリング周波数でサンプリングするのに適した横画素数である、横方向の画素数を１１／１０倍した７０４画素の画像データを生成し、その横方向の画素数を増やした外部出力用の画像データを液晶表示パネルの構成画素数に合わせたサンプリング周波数でサンプリングして液晶用の表示駆動処理を実行することで、最終的に上記ＶＧＡと同じくアスペクト比が３：４の画像を液晶表示パネル上に表示するものとなっている。
【０００７】
このように、外部出力用のビデオ信号と液晶用の表示信号では、必要とされる画像データの横方向の画素数が異なり、双方の画素数に相関性は全くない。したがって、撮影系から与えられる画像データからビデオ信号と液晶用の表示信号を生成して出力するエンコーダ回路を実現するためには、回路規模が非常に大きなものとなってしまうという不具合があった。
【０００８】
また、上述した特許文献１は、生成するデジタル値のＲＧＢ信号に関し、そのデータを構成する具体的な画素数等については一切開示していない。
【０００９】
本発明は上記のような実情に鑑みてなされたもので、その目的とするところは、必要な回路構成を極力簡易化しながら、デジタル画像データを用いて表示パネルを直接駆動することが可能な表示パネル用出力信号生成回路、デジタルカメラ及び表示パネル用出力信号生成方法を提供することにある。
【課題を解決するための手段】
【００１０】
請求項１記載の発明は、デジタル画像データの横画素数を、第１のテレビジョン方式のビデオ信号を生成するのに適した横画素数または該横画素数の半分の横画素数に変換する横画素数変換手段と、この横画素数変換手段により横画素数が変換されたデジタル画像データを表示パネルの駆動回路にデジタル出力する第１の出力手段とを具備し、上記表示パネルの横画素数は、上記第１のテレビジョン方式のビデオ信号を生成するのに適した横画素数または該横画素数の半分の横画素数と略一致することを特徴とする。
【００１１】
このような構成とすれば、ビデオ信号を生成するのに適した横方向の画素数に準じた横画素数を有する表示パネルを使用することで、回路規模を極力小さくしながら、デジタル画像データを用いて表示パネルを直接駆動できる。
【００１２】
請求項２記載の発明は、上記請求項１記載の発明において、上記第１のテレビジョン方式のビデオ信号を生成するのに適した横画素数は７０４画素または１４０８画素であり、上記横画素数変換手段は、デジタル画像データの横画素数を３５２画素、７０４画素、または１４０８画素に変換し、上記表示パネルの横画素数は、３５２画素、７０４画素、または１４０８画素と略一致することを特徴とする。
【００１３】
このような構成とすれば、上記請求項１記載の作用に加えて、デジタル画像データから例えばデジタルカメラのモニタを構成する表示パネルに好適なサイズのデジタル画像データを供することができる。
【００１４】
請求項３記載の発明は、上記請求項１または２記載の発明において、上記横画素数変換手段により第１のテレビジョン方式のビデオ信号を生成するのに適した横画素数に変換されたデジタル画像データから上記第１のテレビジョン方式に従ったデジタルのビデオ信号を生成する第１の生成手段と、この第１の生成手段により生成されたビデオ信号を出力する第２の出力手段とをさらに具備したことを特徴とする。
【００１５】
このような構成とすれば、上記請求項１または２記載の発明の作用に加えて、外部モニタに出力するためのビデオ信号を生成することができる。
【００１６】
請求項４記載の発明は、上記請求項３記載の発明において、上記横画素数変換手段により、第１のテレビジョン方式のビデオ信号を生成するのに適した横画素数に変換されたデジタル画像データを、第２のテレビジョン方式のビデオ信号を生成するのに適したデジタル画像データに変換する変換手段を備え、上記第１の生成手段は、この変換手段により変換された第２のテレビジョン方式のビデオ信号を生成するのに適したデジタル画像データから上記第２のテレビジョン方式に従ったデジタルのビデオ信号を生成する手段を含むことを特徴とする。
【００１７】
このような構成とすれば、上記請求項３記載の発明の作用に加えて、例えばＮＴＳＣ方式とＰＡＬ方式双方の外部モニタにも対応可能となり、回路の汎用性をより高めることができる。
【００１８】
請求項５記載の発明は、上記請求項１乃至４いずれかに記載の発明において、上記横画素数変換手段により横画素数が変換されたデジタル画像データからデジタルのＲＧＢ信号を生成する第２の生成手段を備え、上記第１の出力手段は、上記第２の生成手段により生成されたデジタルのＲＧＢ信号を表示パネルの駆動回路にデジタル出力することを特徴とする。
【００１９】
このような構成とすれば、上記請求項１乃至４いずれかに記載の発明の作用に加えて、表示パネルに表示させることが可能なＲＧＢ信号の形態で表示パネルにデジタル画像データを出力させることができる。
【００２０】
請求項６記載の発明は、上記請求項１乃至４いずれかに記載の発明において、上記横画素数変換手段は、デジタル画像データの横画素数を、第１のテレビジョン方式のビデオ信号を生成するのに適した横画素数に変換する第１の横画素数変換手段と、この第１の横画素数変換手段により横画素数が変換されたデジタル画像データの横画素数を、半分の横画素数に変換する第２の横画素数変換手段とを含み、上記第１の出力手段は、上記第２の横画素数変換手段により横画素数が変換されたデジタル画像データを表示パネルの駆動回路にデジタル出力することを特徴とする。
【００２１】
このような構成とすれば、上記請求項１乃至４いずれかに記載の発明の作用に加えて、横画素数変換手段を上記第１及び第２の横画素数変換手段の２段構成とすることにより、外部モニタに出力するためのビデオ信号を生成しつつ、横画素数が第１のテレビジョン方式のビデオ信号を生成するのに適した横画素数の半分の横画素数である表示パネルに容易に対応することが可能となり、回路の汎用性をより高めることができる。
【００２２】
請求項７記載の発明は、上記請求項６記載の発明において、上記第１の横画素数変換手段により横画素数が変換されたデジタル画像データからデジタルのＲＧＢ信号を生成する第２の生成手段を備え、上記第２の横画素数変換手段は、上記第２の生成手段により生成されたデジタルのＲＧＢ信号の横画素数を半分の横画素数に変換することを特徴とする。
【００２３】
このような構成とすれば、上記請求項６記載の発明の作用に加えて、表示パネルで表示することが可能なＲＧＢ信号の形態で表示パネルにデジタル画像データを出力させることができる。
【００２４】
請求項８記載の発明は、上記請求項６または７記載の発明において、上記第２の横画素数変換手段は、上記表示パネルが、１画素を構成するＲ，Ｇ，Ｂの３色要素を２ラインに跨って三角形状に配置したデルタ配列であり、且つ信号電極数が上記第１の横画素数変換手段が変換して出力する１ライン分の横画素数の半分である場合に、上記第１の横画素数変換手段により横画素数が変換されたデジタル画像データに対し、対応する２ライン中で横方向に隣接する同一色の要素が相互に１．５画素分ずれるように間引くことにより半分の横画素数に変換することを特徴とする。
【００２５】
このような構成とすれば、上記請求項６または７記載の発明の作用に加えて、一般的に多く採用されているデルタ配列の表示パネルで局所的な歪み等を生じず、きわめて自然な画像データを表示させることができる。
【００２６】
請求項９記載の発明は、上記請求項６乃至８いずれかに記載の発明において、デジタル画像データを上記横画素数変換手段に供給するビデオメモリと、上記ビデオメモリの出力と第１の横画素数変換手段の出力のいずれか一方を切換選択する切換選択手段とをさらに具備し、上記切換選択手段により切換選択されたビデオメモリの出力または第１の横画素数変換手段の出力を上記第２の横画素数変換手段に供することを特徴とする。
【００２７】
このような構成とすれば、上記請求項６乃至８いずれかに記載の発明の作用に加えて、従来より広く使用されている画素構成のビデオメモリをそのまま利用して回路を実現できるだけでなく、ビデオ信号の横方向の画素数に準じた横画素数の表示パネルと元のデジタル画像データの横画素数に準じた横画素数の表示パネルのいずれにも対応可能となり、回路の汎用性をより高めることができる。
【００２８】
請求項１０記載の発明は、上記請求項１乃至９いずれかに記載の発明において、デジタル画像データを上記横画素数変換手段に供給するビデオメモリをさらに具備したことを特徴とする。
【００２９】
このような構成とすれば、上記請求項１乃至９いずれかに記載の発明の作用に加えて、従来より広く使用されている画素構成のビデオメモリを使用して回路を実現できる。
【００３０】
請求項１１記載の発明は、上記請求項１乃至５いずれかに記載の発明において、デジタル画像データを上記横画素数変換手段に供給するビデオメモリと、上記ビデオメモリの出力と横画素数変換手段の出力のいずれか一方を切換選択する切換選択手段とをさらに具備し、上記第１の出力手段は、上記切換選択手段により切換選択されたビデオメモリの出力または横画素数変換手段の出力を表示パネルの駆動回路にデジタル出力することを特徴とする。
【００３１】
このような構成とすれば、上記請求項１乃至５いずれかに記載の発明の作用に加えて、ビデオ信号の横方向の画素数に準じた横画素数の表示パネルと元のデジタル画像データの横画素数（例えばＶＧＡ、ＱＶＧＡに準じた横画素数）の表示パネルのいずれにも対応可能となり、回路の汎用性を高めることができる。
【００３２】
請求項１２記載の発明は、上記請求項１１記載の発明において、上記ビデオメモリから供給されるデジタル画像データの横画素数を変換する第３の横画素数変換手段をさらに具備し、上記切換選択手段は、上記第３の横画素数変換手段の出力と横画素数変換手段の出力のいずれか一方を切換選択し、上記第１の出力手段は、上記切換選択手段により切換選択された第３の横画素数変換手段の出力または横画素数変換手段の出力を表示パネルの駆動回路にデジタル出力することを特徴とする。
【００３３】
このような構成とすれば、上記請求項１１記載の発明の作用に加えて、元のデジタル画像データの横画素数（例えばＶＧＡ、ＱＶＧＡに準じた横画素数）の表示パネルに制限されることなく任意の横画素数の表示パネルにも対応可能となり、回路の汎用性を高めることができる。
【００３４】
請求項１３記載の発明は、上記請求項１乃至８いずれかに記載の発明において、上記横画素数変換手段は、さらに、デジタル画像データの横画素数を、第１のテレビジョン方式のビデオ信号を生成するのに適した横画素数及び該横画素数の半分の横画素数以外の所定の横画素数に変換する手段を含み、上記表示パネルは、さらに、上記所定の横画素数の表示パネルを含むことを特徴とする。
【００３５】
このような構成とすれば、上記請求項１乃至８いずれかに記載の発明の作用に加えて、ビデオ信号の横方向の画素数に準じた横画素数の表示パネルと元のデジタル画像データの横画素数に準じた横画素数の表示パネルのいずれにも対応可能となり、回路の汎用性を高めることができる。
【００３６】
請求項１４記載の発明は、デジタル画像データを供給するビデオメモリと、このビデオメモリから供給されるデジタル画像データを表示パネルの駆動回路にデジタル出力する第１の出力手段と、上記ビデオメモリから供給されるデジタル画像データの横画素数を、第１のテレビジョン方式のビデオ信号を生成するのに適した横画素数に変換する第１の横画素数変換手段と、この第１の横画素数変換手段により横画素数が変換されたデジタル画像データから上記第１のテレビジョン方式に従ったデジタルのビデオ信号を生成する第１の生成手段と、この第１の生成手段により生成されたビデオ信号を出力する第２の出力手段とを具備したことを特徴とする。
【００３７】
このような構成とすれば、例えばＶＧＡに準じた横方向の画素数に合わせた横画素数の表示パネルを使用し、デジタル画像データを用いて表示パネルを直接駆動する一方で、ビデオメモリを増やすことなく外部モニタに出力するためのビデオ信号も生成して出力することができるので、回路規模を極力小さくできる。
【００３８】
請求項１５記載の発明は、上記請求項１４記載の発明において、上記第１のテレビジョン方式のビデオ信号を生成するのに適した横画素数は７０４画素または１４０８画素であり、上記第１の横画素数変換手段は、デジタル画像データの横画素数を７０４画素または１４０８画素に変換することを特徴とする。
【００３９】
このような構成とすれば、上記請求項１４記載の発明の作用に加えて、デジタル画像データから外部モニタに出力するのに好適なビデオ信号を生成して外部モニタに出力することができる。
【００４０】
請求項１６記載の発明は、上記請求項１４または１５記載の発明において、上記ビデオメモリから供給されるデジタル画像データからデジタルのＲＧＢ信号を生成する第２の生成手段を備え、上記第１の出力手段は、上記第２の生成手段により生成されたデジタルのＲＧＢ信号を表示パネルの駆動回路にデジタル出力することを特徴とする。
【００４１】
このような構成とすれば、上記請求項１４または１５記載の発明の作用に加えて、表示パネルに表示させることが可能なＲＧＢ信号の形態で表示パネルにデジタル画像データを出力させることができる。
【００４２】
請求項１７記載の発明は、上記請求項１４乃至１６いずれかに記載の発明において、上記ビデオメモリから供給されるデジタル画像データの横画素数を変換する第２の横画素数変換手段をさらに具備し、上記第１の出力手段は、上記第２の横画素数変換手段により画素数が変換されたデジタル画像データを表示パネルの駆動回路にデジタル出力することを特徴とする。
【００４３】
このような構成とすれば、上記請求項１４乃至１６いずれかに記載の発明の作用に加えて、ビデオメモリに記憶されているデジタル画像データの横画素数と表示パネルの横画素数とが異なっている場合であっても、デジタル画像データの横画素数を表示パネルの横画素数となるように変換して表示パネルに出力させることができる。
【００４４】
請求項１８記載の発明は、上記請求項１７記載の発明において、上記ビデオメモリから供給されるデジタル画像データの横画素数は３２０画素であり、上記第２の横画素数変換手段は、デジタル画像データの横画素数を４８０画素に変換し、上記表示パネルの横画素数は、４８０画素と略一致することを特徴とする。
【００４５】
このような構成とすれば、上記請求項１７記載の発明の作用に加えて、一般的なサイズのデジタル画像データから例えばデジタルカメラのモニタを構成する表示パネルに好適なサイズのデジタル画像データを供することができる。
【００４６】
請求項１９記載の発明は、上記請求項１４乃至１８いずれかに記載の発明において、上記第１の横画素数変換手段が出力する、第１のテレビジョン方式のビデオ信号を生成するのに適した横画素数のデジタル画像データから、第２のテレビジョン方式のビデオ信号を生成するのに適したデジタル画像データに変換する変換手段を備え、上記第１の生成手段は、この変換手段により変換された第２のテレビジョン方式のビデオ信号を生成するのに適したデジタル画像データから、上記第２のテレビジョン方式に従ったデジタルのビデオ信号を生成する手段を含むことを特徴とする。
【００４７】
このような構成とすれば、上記請求項１４乃至１８いずれかに記載の発明の作用に加えて、複数の異なるテレビジョン方式（例えばＮＴＳＣ方式とＰＡＬ方式）の外部モニタに対応可能となり、回路の汎用性をより高めることができる。
【００４８】
請求項２０記載の発明は、上記請求項１乃至１９いずれかに記載の発明において、上記第１のテレビジョン方式のビデオ信号はＮＴＳＣ信号であることを特徴とする。
【００４９】
このような構成とすれば、上記請求項１乃至１９いずれかに記載の発明の作用に加えて、世界的に普及しているＮＴＳＣ方式の外部モニタに対応することが可能になる。
【００５０】
請求項２１記載の発明は、上記請求項４または１９記載の発明において、上記第２のテレビジョン方式のビデオ信号はＰＡＬ信号であることを特徴とする。
【００５１】
このような構成とすれば、上記請求項４または１９記載の発明の作用に加えて、世界的に普及しているＰＡＬ方式の外部モニタにも対応することが可能になる。
【００５２】
請求項２２記載の発明は、上記請求項１乃至２１いずれかに記載の発明において、上記第１の出力手段は、パラレルな原色系のデジタル画像データをシリアルデータに変換して表示パネルの駆動回路にデジタル出力することを特徴とする。
【００５３】
このような構成とすれば、上記請求項１乃至２１いずれかに記載の発明の作用に加えて、表示パネル用出力信号生成回路と表示パネルとの間の信号線数を減少し、実装上の回路規模をより縮小することができる。
【００５４】
請求項２３記載の発明は、被写体を撮像し、デジタル画像データを出力する撮像手段と、この撮像手段から出力されたデジタル画像データの横画素数を、第１のテレビジョン方式のビデオ信号を生成するのに適した横画素数または該横画素数の半分の横画素数に変換する横画素数変換手段と、この横画素数変換手段により横画素数が変換されたデジタル画像データを表示パネルの駆動回路に出力する第１の出力手段とを具備し、上記表示パネルの横画素数は、上記第１のテレビジョン方式のビデオ信号を生成するのに適した横画素数または該横画素数の半分の横画素数と略一致することを特徴とする。
【００５５】
このような構成とすれば、ビデオ信号を生成するのに適した横方向の画素数に準じた横画素数を有する表示パネルをデジタルカメラの表示パネルとして使用することで、デジタルカメラの回路規模を極力小さくしながら、デジタル画像データを用いて表示パネルを直接駆動できる。
【００５６】
請求項２４記載の発明は、被写体を撮像し、デジタル画像データを出力する撮像手段と、この撮像手段から出力されたデジタル画像データを記憶するビデオメモリと、このビデオメモリから供給されるデジタル画像データを表示パネルの駆動回路にデジタル出力する第１の出力手段と、上記ビデオメモリから供給されるデジタル画像データの横画素数を、第１のテレビジョン方式のビデオ信号を生成するのに適した横画素数に変換する第１の横画素数変換手段と、この第１の横画素数変換手段により横画素数が変換されたデジタル画像データから上記第１のテレビジョン方式に従ったデジタルのビデオ信号を生成する第１の生成手段と、この第１の生成手段により生成されたビデオ信号を出力する第２の出力手段とを具備したことを特徴とする。
【００５７】
このような構成とすれば、例えばＶＧＡに準じた横方向の画素数に合わせた横画素数の表示パネルをデジタルカメラの表示パネルとして使用し、デジタル画像データを用いて表示パネルを直接駆動する一方で、ビデオメモリを増やすことなく外部モニタに出力するためのビデオ信号も生成して出力することができるので、デジタルカメラの回路規模を極力小さくできる。
【００５８】
請求項２５記載の発明は、デジタル画像データの横画素数を、第１のテレビジョン方式のビデオ信号を生成するのに適した横画素数または該横画素数の半分の横画素数に変換する工程と、この横画素数が変換されたデジタル画像データを表示パネルの駆動回路にデジタル出力する工程とを有し、上記表示パネルの横画素数は、上記第１のテレビジョン方式のビデオ信号を生成するのに適した横画素数または該横画素数の半分の横画素数と略一致することを特徴とする。
【００５９】
このような構成とすれば、ビデオ信号を生成するのに適した横方向の画素数に準じた横画素数を有する表示パネルを使用することで、回路規模を極力小さくしながら、デジタル画像データを用いて表示パネルを直接駆動できる。
【００６０】
請求項２６記載の発明は、デジタル画像データをビデオメモリに記憶する工程と、上記ビデオメモリから供給されるデジタル画像データを表示パネルの駆動回路にデジタル出力する工程と、上記ビデオメモリから供給されるデジタル画像データの横画素数を、第１のテレビジョン方式のビデオ信号を生成するのに適した横画素数に変換する工程と、この横画素数が変換されたデジタル画像データから上記第１のテレビジョン方式に従ったデジタルのビデオ信号を生成する工程と、生成されたビデオ信号を出力する工程とを有することを特徴とする。
【００６１】
このような構成とすれば、例えばＶＧＡに準じた横方向の画素数に合わせた横画素数の表示パネルを使用し、デジタル画像データを用いて表示パネルを直接駆動する一方で、ビデオメモリを増やすことなく外部モニタに出力するためのビデオ信号も生成して出力することができるので、回路規模を極力小さくできる。
【発明の効果】
【００６２】
請求項１記載の発明によれば、ビデオ信号を生成するのに適した横方向の画素数に準じた横画素数を有する表示パネルを使用することで、回路規模を極力小さくしながら、デジタル画像データを用いて表示パネルを直接駆動できる。
【００６３】
請求項２記載の発明によれば、上記請求項１記載の効果に加えて、デジタル画像データから例えばデジタルカメラのモニタを構成する表示パネルに好適なサイズのデジタル画像データを供することができる。
【００６４】
請求項３記載の発明によれば、上記請求項１または２記載の発明の効果に加えて、外部モニタに出力するためのビデオ信号を生成することができる。
【００６５】
請求項４記載の発明によれば、上記請求項３記載の発明の効果に加えて、例えばＮＴＳＣ方式とＰＡＬ方式双方の外部モニタにも対応可能となり、回路の汎用性をより高めることができる。
【００６６】
請求項５記載の発明によれば、上記請求項１乃至４いずれかに記載の発明の効果に加えて、表示パネルに表示させることが可能なＲＧＢ信号の形態で表示パネルにデジタル画像データを出力させることができる。
【００６７】
請求項６記載の発明によれば、上記請求項１乃至４いずれかに記載の発明の効果に加えて、横画素数変換手段を上記第１及び第２の横画素数変換手段の２段構成とすることにより、外部モニタに出力するためのビデオ信号を生成しつつ、横画素数が第１のテレビジョン方式のビデオ信号を生成するのに適した横画素数の半分の横画素数である表示パネルに容易に対応することが可能となり、回路の汎用性をより高めることができる。
【００６８】
請求項７記載の発明によれば、上記請求項６記載の発明の効果に加えて、表示パネルで表示することが可能なＲＧＢ信号の形態で表示パネルにデジタル画像データを出力させることができる。
【００６９】
請求項８記載の発明によれば、上記請求項６または７記載の発明の効果に加えて、一般的に多く採用されているデルタ配列の表示パネルで局所的な歪み等を生じず、きわめて自然な画像データを表示させることができる。
【００７０】
請求項９記載の発明によれば、上記請求項６乃至８いずれかに記載の発明の効果に加えて、従来より広く使用されている画素構成のビデオメモリをそのまま利用して回路を実現できるだけでなく、ビデオ信号の横方向の画素数に準じた横画素数の表示パネルと元のデジタル画像データの横画素数に準じた横画素数の表示パネルのいずれにも対応可能となり、回路の汎用性をより高めることができる。
【００７１】
請求項１０記載の発明によれば、上記請求項１乃至９いずれかに記載の発明の効果に加えて、従来より広く使用されている画素構成のビデオメモリを使用して回路を実現できる。
【００７２】
請求項１１記載の発明によれば、上記請求項１乃至５いずれかに記載の発明の効果に加えて、ビデオ信号の横方向の画素数に準じた横画素数の表示パネルと元のデジタル画像データの横画素数（例えばＶＧＡ、ＱＶＧＡに準じた横画素数の表示パネルのいずれにも対応可能となり、回路の汎用性を高めることができる。
【００７３】
請求項１２記載の発明によれば、上記請求項１１記載の発明の効果に加えて、元のデジタル画像データの横画素数（例えばＶＧＡ、ＱＶＧＡに準じた横画素数）の表示パネルに制限されることなく任意の横画素数の表示パネルにも対応可能となり、回路の汎用性を高めることができる。
【００７４】
請求項１３記載の発明によれば、上記請求項１乃至８いずれかに記載の発明の効果に加えて、ビデオ信号の横方向の画素数に準じた横画素数の表示パネルと元のデジタル画像データの横画素数に準じた横画素数の表示パネルのいずれにも対応可能となり、回路の汎用性を高めることができる。
【００７５】
請求項１４記載の発明によれば、例えばＶＧＡに準じた横方向の画素数に合わせた横画素数の表示パネルを使用し、デジタル画像データを用いて表示パネルを直接駆動する一方で、ビデオメモリを増やすことなく外部モニタに出力するためのビデオ信号も生成して出力することができるので、回路規模を極力小さくできる。
【００７６】
請求項１５記載の発明によれば、上記請求項１４記載の発明の効果に加えて、デジタル画像データから外部モニタに出力するのに好適なビデオ信号を生成して外部モニタに出力することができる。
【００７７】
請求項１６記載の発明によれば、上記請求項１４または１５記載の発明の効果に加えて、表示パネルに表示させることが可能なＲＧＢ信号の形態で表示パネルにデジタル画像データを出力させることができる。
【００７８】
請求項１７記載の発明によれば、上記請求項１４乃至１６いずれかに記載の発明の効果に加えて、ビデオメモリに記憶されているデジタル画像データの横画素数と表示パネルの横画素数とが異なっている場合であっても、デジタル画像データの横画素数を表示パネルの横画素数となるように変換して表示パネルに出力させることができる。
【００７９】
請求項１８記載の発明によれば、上記請求項１７記載の発明の効果に加えて、一般的なサイズのデジタル画像データから例えばデジタルカメラのモニタを構成する表示パネルに好適なサイズのデジタル画像データを供することができる。
【００８０】
請求項１９記載の発明によれば、上記請求項１４乃至１８いずれかに記載の発明の効果に加えて、複数の異なるテレビジョン方式（例えばＮＴＳＣ方式とＰＡＬ方式）の外部モニタに対応可能となり、回路の汎用性をより高めることができる。
【００８１】
請求項２０記載の発明によれば、上記請求項１乃至１９いずれかに記載の発明の効果に加えて、世界的に普及しているＮＴＳＣ方式の外部モニタに対応することが可能になる。
【００８２】
請求項２１記載の発明によれば、上記請求項４または１９記載の発明の効果に加えて、世界的に普及しているＰＡＬ方式の外部モニタにも対応することが可能になる。
【００８３】
請求項２２記載の発明によれば、上記請求項１乃至２１いずれかに記載の発明の効果に加えて、表示パネル用出力信号生成回路と表示パネルとの間の信号線数を減少し、実装上の回路規模をより縮小することができる。
【００８４】
請求項２３記載の発明によれば、ビデオ信号を生成するのに適した横方向の画素数に準じた横画素数を有する表示パネルをデジタルカメラの表示パネルとして使用することで、デジタルカメラの回路規模を極力小さくしながら、デジタル画像データを用いて表示パネルを直接駆動できる。
【００８５】
請求項２４記載の発明によれば、例えばＶＧＡに準じた横方向の画素数に合わせた横画素数の表示パネルをデジタルカメラの表示パネルとして使用し、デジタル画像データを用いて表示パネルを直接駆動する一方で、ビデオメモリを増やすことなく外部モニタに出力するためのビデオ信号も生成して出力することができるので、デジタルカメラの回路規模を極力小さくできる。
【００８６】
請求項２５記載の発明によれば、ビデオ信号を生成するのに適した横方向の画素数に準じた横画素数を有する表示パネルを使用することで、回路規模を極力小さくしながら、デジタル画像データを用いて表示パネルを直接駆動できる。
【００８７】
請求項２６記載の発明によれば、例えばＶＧＡに準じた横方向の画素数に合わせた横画素数の表示パネルを使用し、デジタル画像データを用いて表示パネルを直接駆動する一方で、ビデオメモリを増やすことなく外部モニタに出力するためのビデオ信号も生成して出力することができるので、回路規模を極力小さくできる。
【発明を実施するための最良の形態】
【００８８】
（第１の実施形態）  
以下本発明をデジタルカメラに備えられるエンコーダ回路に適用した場合の第１の実施形態について図面を参照して説明する。
【００８９】
図１は、このデジタルカメラの構成を示すものであり、デジタルカメラ内の回路構成について説明する。
【００９０】
撮影モードでのモニタリング状態においては、モータ（Ｍ）３１の駆動により合焦位置や絞り位置が移動される、撮影レンズを含むレンズ光学系３２の撮影光軸後方に配置された撮像素子であるＣＣＤ３３が、タイミング発生器（ＴＧ）３４、垂直ドライバ３５によって走査駆動され、一定周期毎に結像した光像に対応する光電変換出力を１画面分出力する。
【００９１】
この光電変換出力は、アナログ値の信号の状態でＲＧＢの各原色成分毎に適宜ゲイン調整された後に、サンプルホールド（Ｓ／Ｈ）回路３６でサンプルホールドされ、Ａ／Ｄ変換器３７でデジタルデータに変換され、カラープロセス回路３８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Ｄｉｒｅｃｔ  Ｍｅｍｏｒｙ  Ａｃｃｅｓｓ）コントローラ３９に出力される。
【００９２】
ＤＭＡコントローラ３９は、カラープロセス回路３８の出力する輝度信号Ｙ及び色差信号Ｃｂ，Ｃｒを、同じくカラープロセス回路３８からの複合同期信号、メモリ書込みイネーブル信号、及びクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送を行なう。
【００９３】
制御部４２は、ＣＰＵと、このＣＰＵで実行される動作プログラムを固定的に記憶したＲＯＭ、及びワークメモリとして使用されるＲＡＭ等により構成され、このデジタルカメラ全体の制御動作を司るもので、上記輝度及び色差信号のＤＲＡＭ４１へのＤＭＡ転送終了後に、この輝度及び色差信号（ＹＵＶ信号）をＤＲＡＭインタフェース４０を介してＤＲＡＭ４１より読出し、ＶＲＡＭ１１に書込む。
【００９４】
エンコーダ回路１０は、上記輝度及び色差信号をＶＲＡＭ１１より定期的に読出し、これらのデータを元に、ＲＧＢ信号を生成して液晶表示部１９に出力するとともにビデオ信号を生成してビデオ出力端子１７を介して有線接続されている後述の外部のモニタ表示部１８に出力する。なお、エンコーダ回路１０の詳細に関しては後述する。
【００９５】
この液晶表示部１９は、上述した如く撮影モード時には電子ファインダとして機能するもので、エンコーダ回路１０からのＲＧＢ信号に基づいた表示を行なうことで、その時点でＶＲＡＭ１１から取込んでいる画像情報に基づく画像をリアルタイムに表示することとなる。
【００９６】
このように液晶表示部１９にその時点での画像がモニタ画像としてリアルタイムに表示されている状態で、静止画撮影を行ないたいタイミングでキー入力部４６を構成するシャッタキー１３を操作すると、トリガ信号を発生する。
【００９７】
制御部４２は、このトリガ信号に応じてその時点でＣＣＤ３３から取込んでいる１画面分の輝度及び色差信号のＤＲＡＭ４１へのＤＭＡ転送の終了後、直ちにＣＣＤ３３からのＤＲＡＭ４１への経路を停止し、記録保存の状態に遷移する。
【００９８】
この記録保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４７に書込み、このＪＰＥＧ回路４７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００９９】
そして、得た符号データを１画像のデータファイルとして該ＪＰＥＧ回路４７から読出し、このデジタルカメラの記録媒体として着脱自在に装着されるメモリカード内に封入された、不揮発性メモリであるフラッシュメモリ４８に書込む。
【０１００】
この際、フラッシュメモリ４８に書込む画像データのファイルに関しては、例えばシャッタキー操作時に図示せぬ時計部から得られる日付と時刻、及びシリアル番号とよりなる所定桁数、例えば「０３０３３１１２３４０００１．ｊｐｇ」のようなファイル名が自動的に付加されて記録されるものとする。
【０１０１】
因みに、上記ファイル名「０３０３３１１２３４０００１．ｊｐｇ」は、「（２０）０３」年「０３」月「３１」日「１２」時「３４」分に撮影した「０００１」番目のＪＰＥＧ方式で圧縮した静止画データであることを示している。
【０１０２】
なお、このフラッシュメモリ４８は、着脱可能なメモリカードとは別に、デジタルカメラに内蔵されているものとしてもよく、さらにはメモリカードと内蔵のメモリの双方を併用するものとしてもよい。
【０１０３】
そして、１フレーム分の輝度及び色差信号の圧縮処理及びフラッシュメモリ４８への全圧縮データの書込み終了に伴なって、制御部４２はＣＣＤ３３からＤＲＡＭ４１への経路を再び起動する。
【０１０４】
また、制御部４２にはさらに、ＵＳＢインタフェース（Ｉ／Ｆ）４９が接続される。このＵＳＢインタフェース４９は、ＵＳＢコネクタ５０を介して有線接続される外部の情報機器、例えばパーソナルコンピュータとの間で画像データその他の送受を行なう場合の通信制御を行なう。
【０１０５】
なお、上記キー入力部４６は、上述したシャッタキーの他に、上記電源キー、モードキー、ズームキー、メニューキー、リングキー、セットキー、及びディスプレイキー等から構成され、それらのキー操作に伴なう信号は直接制御部４２へ送出される。
【０１０６】
しかるに、静止画像ではなく動画像の撮影時においては、キー入力部４６のシャッタキーが操作され続けている間、上述した静止画像データのＤＲＡＭ４１への記録を時間的に連続して実行し、該シャッタキーの操作が終わるか、または所定の制限時間、例えば３０秒が経過した時点でそれら一連の静止画データを順次ＪＰＥＧ回路４７でデータ圧縮した後、データ圧縮した一連の静止画データを含むモーションＪＰＥＧの動画データファイルを生成し、フラッシュメモリ４８に記録する。
【０１０７】
また、再生モード時には、制御部４２がフラッシュメモリ４８に記録されている画像データを選択的に読出し、ＪＰＥＧ回路４７で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭ１１に記憶させ、このＶＲＡＭ１１より定期的に画像データを読出してエンコーダ回路１０によりＲＧＢ信号を生成して液晶表示部１９に出力する。ここで、ビデオ出力端子１７を介してモニタ表示部１８が有線接続されている場合には、エンコーダ回路１０により生成されたビデオ信号をモニタ表示部１８に出力することになる。
【０１０８】
なお、選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【０１０９】
図２は、本発明の表示パネル用出力信号生成装置に係る上記エンコーダ回路１０の構成を示すものである。
【０１１０】
なお、本実施形態では、表示対象である液晶パネルが対角１〜２インチ程度のサイズであり、画素数構成もそれなりであることから、ＶＧＡやＮＴＳＣ等の規格に準拠する画像の構成画素数も適宜必要に応じて間引いて表示駆動するものとする。
【０１１１】
図２で、撮影モード時のモニタ動作としてスルー画像表示を行なうべく、ＶＧＡに準拠した例えば縦４８０画素×横６４０画素の輝度色差系（ＹＵＶデータ）のデジタル画像データが順次ＶＲＡＭ１１に記憶され、横画素数変換部１２へ読出される。
【０１１２】
この横画素数変換部１２は、我が国のテレビジョン方式であるＮＴＳＣ方式の水平走査周期に対応してデジタル画像データの各ライン横方向の構成画素数を１１／１０倍に増加させるべく相関演算（補間処理）で変換する。
【０１１３】
加えて横画素数変換部１２は、１枚の画像データに対し、ＮＴＳＣ方式のインタレースに合わせて、奇数ラインと偶数ラインに分割した２枚の画像データを出力する。
【０１１４】
したがって横画素数変換部１２は、１／６０［秒］周期で縦２４０画素×横７０４画素の輝度色差系（ＹＵＶ）のデジタル画像データをビデオエンコーダ１３及び液晶エンコーダ１４へ出力する。
【０１１５】
これらビデオエンコーダ１３及び液晶エンコーダ１４は、共にビデオタイミング発振部１５から供給される基準クロックに基づいて動作する。
【０１１６】
ビデオエンコーダ１３は、横画素数変換部１２からのデジタル画像データにより１３．５［ＭＨｚ］サンプリングでＮＴＳＣ方式のビデオ信号を作成出力し、Ｄ／Ａ変換器１６でアナログ化した後にビデオ出力端子１７より外部出力させる。
【０１１７】
このビデオ出力端子１７に、図示しない接続コードを介して例えば家庭用のテレビ受像機や液晶テレビ等のＮＴＳＣ方式に準拠したモニタ表示部１８が接続された場合、当該モニタ表示部１８では、得た画像データを表示出力する。
【０１１８】
一方、液晶エンコーダ１４は、横画素数変換部１２からの輝度色差系のデジタル画像データに基づき、１３．５［ＭＨｚ］サンプリングで後述する液晶パネルの走査電極数２４０×信号電極数（横画素数）３５２に間引いた原色系（ＲＧＢ）のデジタル画像データを生成し、これを表示対象である液晶表示部１９へ直接出力する。
【０１１９】
液晶表示部１９は、上述した如くＮＴＳＣ方式に準拠した走査電極数２４０×信号電極数３５２の電極構成を有するＴＦＴ液晶パネルとその駆動回路とにより構成されるもので、上記ビデオタイミング発振部１５の発振する基準クロックに基づいて液晶タイミング発振部２０が発振する液晶表示用の各種タイミング信号により、液晶エンコーダ１４から直接送られてくる原色系のデジタル画像データを用いた画像表示を実行する。
【０１２０】
上記のような回路構成にあって、その動作は以下に示すようになる。
【０１２１】
まず、液晶表示部１９を構成する液晶パネルの電極及び画素の配列が図３（Ａ）に示すようになっているものとする。この場合、Ｘ１〜Ｘ２４０が図示しないドレインドライバに走査駆動されるドレイン（走査）電極、Ｙ１〜Ｙ３５２がソースドライバ１９ａにより上記デジタル画像データに基づいて表示駆動されるソース（信号）電極である。
【０１２２】
この場合、ソースドライバ１９ａにより駆動される同一の信号電極に接続された、上下に隣接するＲ，Ｇ，Ｂの各ドット（色要素）は、相互に半ドット分ずれて配置される。
【０１２３】
加えて、図中に波線で示す１組の画素Ｃを構成するＲ，Ｇ，Ｂの３ドットが２ラインに跨って三角形状に配列された、所謂「デルタ配列」と呼称される一般に多く採用されている配列を有するものとする。
【０１２４】
これに対し、横画素数変換部１２から液晶エンコーダ１４に入力される横方向の画素数が増加された輝度色差系の画像データが縦２４０画素×横７０４画素であり、これを同一の構成画素数で原色系のデジタル画像データにエンコードした結果、図３（Ｂ）に示すような画像データが得られるものとする。
【０１２５】
このように、液晶表示パネルにデルタ配列のものを採用し、且つ信号電極数が液晶エンコーダ１４に入力される画像データの横画素数の半分である場合に、液晶エンコーダ１４は、対応する２ライン中で横方向に隣接する同一色の要素が相互に１．５画素分ずれるように原色系のデジタル画像データを間引き処理（サンプリング処理）により生成し、液晶表示部１９に直接出力する。図３（Ｂ）中、実際に選択されている画素の各色成分を記号「○」で囲んで示している。
【０１２６】
例えば、液晶パネルの信号電極Ｘ１とＸ２に対応する２ライン中で、隣接する同一色成分のドットとして、（Ｘ１，Ｙ１）のドットＲと（Ｘ２，Ｙ３）のドットＲで表示させる画像データを得る場合を考える。
【０１２７】
（Ｘ１，Ｙ１）のドットＲは、同一信号電極の（Ｘ２，Ｙ１）のドットＧより半ドット分右側にずれている。加えて、全信号電極数が液晶エンコーダ１４に入力される画像データの横方向の構成画素数の半分であり、画像データの横方向に隣接する２画素分から１つのドットで表示させる色成分のデータを読出す必要があることから、図３（Ｂ）に示すデジタル画像中の行番号「１」、列番号「１」「２」の２つの画素データのうち、右側偶数の「２」の画素データ中のＲ成分が記号「○」で示すように選択されて、液晶パネルの（Ｘ１，Ｙ１）のドットＲで表示されることになる。
【０１２８】
同様に、液晶パネルの（Ｘ２，Ｙ３）のドットＲで表示されるデータは、デジタル画像中の行番号「２」、列番号「５」の画素データ中のＲ成分が記号「○」で示すように選択されることになる。
【０１２９】
このように、図３（Ｂ）に示す横方向に隣接する画像データ２画素から１画素を選択し、さらに対応するドットの色成分をデルタ配列を考慮して選択する点から考えると、液晶エンコーダ１４は、対応する２ライン中で横方向に隣接する同一色の要素が相互に１．５画素分ずれるように原色系のデジタル画像データの画素を選択することにより生成していることになる。
【０１３０】
したがって、一般的に多く採用されているデルタ配列の液晶パネルで適切な画素のデータを選択して表示するべく液晶エンコーダ１４がＲＧＢ信号を出力することにより、与えられる画像データに比較して、表示される内容に局所的な歪み等を発生することがなく、きわめて自然な画像データを表示させることができる。
【０１３１】
また、上述したように、ビデオエンコーダ１３以降のビデオ信号系統で使用するＮＴＳＣ方式のビデオ信号の横方向の画素数に準じた信号電極数（ビデオ信号の横方向の画素数の半分の信号電極数）の液晶パネルを使用して液晶表示部１９を構成するものとし、ＶＧＡに準じた画素数構成を有する一般的なＶＲＡＭ１１を用い、その横方向の画素数を一律に横画素数変換部１２でビデオ信号系統で使用するＮＴＳＣ方式のビデオ信号の横方向の画素数となるように変換した後に、ビデオエンコーダ１３と液晶エンコーダ１４の２つの信号系統に分配するものとしている。
【０１３２】
これにより、ビデオメモリとして一般的な画素数構成のＶＲＡＭ１１を一つだけ使用して回路を実現できるため、エンコーダ回路全体での回路規模を極力小さくできる。
【０１３３】
加えて、液晶エンコーダ１４が生成したデジタル値の画像データをアナログ値に変換することなく、直接液晶表示部１９に出力して表示駆動させるものとしたため、Ｄ／Ａ変換器やクロマ回路が不要となり、エンコーダ回路としての規模をさらに大幅に簡略化できる。
【０１３４】
なお、上記図２、図３（Ａ）及び図３（Ｂ）で説明した画像データの構成画素数に限定するものではなく、図１中の「（）」内に示す数値、もしくは他の数値であってもよい。
【０１３５】
また、液晶パネルの信号電極数と同じ横方向の画素数を有する輝度色差系のデジタル画像データを液晶エンコーダ１４へ入力し、液晶エンコーダ１４内で補間処理により１．５画素ずらしの画素を新たに作成し、これを液晶表示部１９に出力するようにしてもよい。
【０１３６】
さらに、液晶表示部１９の液晶パネルがデルタ配列の画素構成を有していない場合には、液晶パネルの信号電極数と同じ横方向の画素数を有する輝度色差系のデジタル画像データを液晶エンコーダ１４へ入力するものとすれば、液晶エンコーダ１４はこれを単に同一画素数の原色系のデータに変換し、変換した画素中の対応する色成分を選択して読出すのみで対応でき、さらに液晶エンコーダ１４の構成を簡略化できる。
【０１３７】
また、モニタ表示部１８がデジタル入力（デジタル放送）に対応している場合は、Ｄ／Ａ変換器１６を省いて、デジタル値のビデオ信号を出力するようにする必要がある。
（第２の実施形態）  
以下本発明をデジタルカメラに備えられるエンコーダ回路に適用した場合の第２の実施形態について図面を参照して説明する。
【０１３８】
図４は、その回路構成を示すもので、基本的には上記図２で示した構成とほぼ同様であるので、同一部分には同一符号を付してその説明を省略する。
【０１３９】
しかして、このエンコーダ回路１０にあって、ＶＲＡＭ１１の出力する、横方向の画素数の変換を行なっていない画像データと、横画素数変換部１２を経て横方向の画素数の変換を行なった画像データの双方を一旦スイッチング回路（ＳＷ）２１に入力し、そのいずれか一方の内容のみが切換選択されて液晶エンコーダ１４へ送出されるものとする。
【０１４０】
ここで、表示対象である液晶表示部１９′の液晶パネルとしては、上述したＮＴＳＣ方式のビデオ信号の横方向の画素数に準じた信号電極数（ビデオ信号の横方向の画素数の半分または同一の信号電極数）を有するもののみならず、ＶＧＡに準じた電極数、例えば縦２４０本×横３２０本あるいは縦２４０本×横６４０本等の一般的なものも選択可能であるものとする。
【０１４１】
したがって、液晶表示部１９′に使用する液晶パネルに、ビデオ信号の横方向の画素数に準じたものを使用するか、ＶＧＡに準じた信号電極数のものを使用するかに応じて例えばこのデジタルカメラの出荷前に製造者側でスイッチング回路２１の選択状態を切換設定することにより、このエンコーダ回路１０がいずれにも対応可能となり、回路の汎用性を高めることができる。
【０１４２】
（第３の実施形態）  
以下本発明をデジタルカメラに備えられるエンコーダ回路に適用した場合の第３の実施形態について図面を参照して説明する。
【０１４３】
なお、本実施形態では、表示対象である液晶パネルが対角１〜２インチ程度のサイズであり、画素数構成もそれなりであることから、ＶＧＡやＮＴＳＣ、ＰＡＬ等の規格に準拠する画像の構成画素数も適宜必要に応じて間引いて表示駆動するものとする。
【０１４４】
また、本実施形態では、このデジタルカメラが我が国以外の国、例えば西ヨーロッパやオセアニアで販売、使用されることも勘案し、テレビジョン方式としてＮＴＳＣ方式に加えてＰＡＬ方式のモニタ表示部１８′も外部接続することも可能であるものとする。
【０１４５】
ちなみに、ＮＴＳＣ方式とＰＡＬ方式では、ビデオ信号の水平走査周期がほぼ同一であるので、走査線数の違い（ＰＡＬ方式はＮＴＳＣ方式の２割程度多い）を除けば、ビデオ信号系の回路に関してはほぼ共有化できる。
【０１４６】
図５は、このエンコーダ回路１０の構成を示すもので、基本的には上記図４で示した構成とほぼ同様であるので、同一部分には同一符号を付してその説明を省略する。
【０１４７】
しかして、このエンコーダ回路１０にあって、輝度色差系のデジタル画像データを記憶して出力するＶＲＡＭ１１′は、ＮＴＳＣ方式とＰＡＬ方式の双方に対応すべく、ライン数を６／５倍するために、５本目毎にその内容を重複して読み出すものとする。
【０１４８】
したがって、このＶＲＡＭ１１′から読出されるデジタル画像データは、そのライン番号を記述すると、「１」「２」「３」「４」「５」「５」「６」「７」「８」「９」「１０」「１０」…となる。
【０１４９】
また、横画素数変換部１２とビデオエンコーダ１３′との間に、ＰＡＬ用ライン変換部５２を設ける。
【０１５０】
このＰＡＬ用ライン変換部５２は、ビデオ出力端子１７に接続するモニタ表示部１８′がＮＴＳＣ方式である場合には横画素数変換部１２からのデジタル画像データをそのまま何の処理も施さずに出力する一方、ＰＡＬ方式である場合には、縦方向の相関演算により６本のライン単位で元の５ライン分の画像データが均等に補間処理された内容となるように変換する。
【０１５１】
このＰＡＬ用ライン変換部５２によるライン数変換の実行の有無は、例えばこのデジタルカメラのユーザがビデオ出力端子１７に接続するモニタ表示部１８′のテレビジョン方式に対応して任意にスイッチ操作により切換えるものとしてもよい。
【０１５２】
上記のような回路構成にあって、モニタ表示部１８′としてＮＴＳＣ方式のものを接続した場合の動作は上記第１の実施形態の場合とほぼ同様であり、ＰＡＬ用ライン変換部５２は横画素数変換部１２とビデオエンコーダ１３′との間にあってデジタル画像データをスルーで通過させるのみとなる。
【０１５３】
この際、ビデオエンコーダ１３′及び液晶エンコーダ１４では、内容がその前のラインと重複している６本目毎のラインの画像データのエンコード動作を停止することで、共にＮＴＳＣ方式の走査線数に戻したデジタル画像データをエンコード出力する。
【０１５４】
一方、ビデオ出力端子１７にＰＡＬ方式のモニタ表示部１８′を接続した場合には、ビデオ信号系ではＰＡＬ用ライン変換部５２が機能し、上述したように一部ラインが重複している輝度色差系のデジタル画像データの相関演算を行なう。
【０１５５】
この相関演算を施したデジタル画像データに基づき、ビデオタイミング発振部１５′からの周波数が相応に上げられた基準クロックによりビデオエンコーダ１３′がデジタル値のビデオ信号を作成し、Ｄ／Ａ変換器１６でアナログ化した後にビデオ出力端子１７に接続されたモニタ表示部１８′へ出力することで、ＰＡＬ方式での画像表示が実行される。
【０１５６】
このとき、液晶エンコーダ１４の側では、横画素数変換部１２の入力または出力の一方が液晶表示部１９′の液晶パネルの信号電極数に合わせてスイッチング回路２１で選択された後に、上記ＮＴＳＣ方式のモニタ表示部１８′が接続された場合と同様に、内容がその前のラインと重複している６本目毎のラインの画像データのエンコード動作を停止することで、ＮＴＳＣ方式の走査線数に戻した原色系のデジタル画像データをエンコードして生成し、液晶表示部１９へ出力する。
【０１５７】
このように、上記第１の実施形態の効果に加えて、ビデオ出力端子１７に接続するモニタ表示部１８′として例えばＮＴＳＣ方式とＰＡＬ方式の双方に対応することが可能となり、回路の汎用性をより高めることができる。
【０１５８】
（第４の実施形態）  
以下本発明をデジタルカメラに備えられるエンコーダ回路に適用した場合の第４の実施形態について図面を参照して説明する。
【０１５９】
なお、本実施形態では、表示対象である液晶パネルが対角１〜２インチ程度のサイズであり、画素数構成もそれなりであることから、ＶＧＡやＮＴＳＣ等の規格に準拠する画像の構成画素数も適宜必要に応じて間引いて表示駆動するものとする。
【０１６０】
図６は、このエンコーダ回路１０の構成を示すもので、基本的には上記図１に示したものとほぼ同様であるので、同一部分には同一符号を付してその説明は省略する。
【０１６１】
しかして、横画素数変換部１２の前段、ＶＲＡＭ１１の出力するまだビデオ信号用に横画素数が変換されていないＶＧＡに準じた輝度色差系のデジタル画像データが直接液晶エンコーダ１４に入力される。
【０１６２】
液晶エンコーダ１４は、この輝度色差系のデジタル画像データに基づき、後述する液晶パネルの走査電極数２４０×信号電極数３２０に間引いた原色系（ＲＧＢ）のデジタル画像データを生成し、これを表示対象である液晶表示部１９へ直接出力する。
【０１６３】
液晶表示部１９は、上述した如くＶＧＡに準じた走査電極数２４０×信号電極数３２０の電極構成を有するＴＦＴ液晶パネルとその駆動回路とにより構成され、液晶エンコーダ１４から直接送られてくる原色系のデジタル画像データを用いた画像表示を実行する。
【０１６４】
上記のような回路構成にあって、その動作は以下に示すようになる。  
液晶表示部１９を構成する液晶パネルの電極数は上述した如く一般的なＶＧＡに準じたものであるとする。したがって、従来より使用されていた一般的な液晶パネルを使用し、液晶エンコーダ１４がデジタル画像データを用いて当該液晶表示パネルを直接駆動することができる。
【０１６５】
一方で、ビデオメモリとしては同様にＶＧＡに準じたＶＲＡＭ１１を１つ用いているのみであり、横画素数変換部１２でビデオ信号に対応して横方向の画素を変換した後にビデオエンコーダ１３でビデオ信号を作成するようにしているため、無駄にビデオメモリを増やすことなく、エンコーダ回路としての回路規模を極力小さくできる。
【０１６６】
（第５の実施形態）  
以下本発明をデジタルカメラに備えられるエンコーダ回路に適用した場合の第５の実施形態について図面を参照して説明する。
【０１６７】
なお、本実施形態では、表示対象である液晶パネルが対角１〜２インチ程度のサイズであり、画素数構成もそれなりであることから、ＶＧＡやＮＴＳＣ等の規格に準拠する画像の構成画素数も適宜必要に応じて間引いて表示駆動するものとする。
【０１６８】
図７は、このエンコーダ回路１０の構成を示すもので、基本的には上記図６に示したものとほぼ同様であるので、同一部分には同一符号を付してその説明は省略する。
【０１６９】
しかして、横画素数変換部１２の前段、ＶＲＡＭ１１の出力するまだビデオ信号用に横画素数が変換されていないＶＧＡに準じた輝度色差系のデジタル画像データが横画素数変換部５１に入力される。
【０１７０】
この横画素数変換部５１は、デジタル画像データの各ライン横方向の構成画素数を３／２倍（または３倍）に増加させるべく相関演算（補間処理）で変換する。
【０１７１】
横画素数変換部５１で横画素数が９６０画素に変換されたデジタル画像データは液晶エンコーダ１４に入力される。
【０１７２】
液晶エンコーダ１４は、この輝度色差系のデジタル画像データに基づき、後述する液晶パネルの走査電極数２４０×信号電極数４８０に間引いた原色系（ＲＧＢ）のデジタル画像データを生成し、これを表示対象である液晶表示部１９へ直接出力する。
【０１７３】
液晶表示部１９は、上述した如くＶＧＡに準じた走査電極数２４０×信号電極数４８０の電極構成を有するＴＦＴ液晶パネルとその駆動回路とにより構成され、液晶エンコーダ１４から直接送られてくる原色系のデジタル画像データを用いた画像表示を実行する。
【０１７４】
したがって、ビデオメモリとしては同様にＶＧＡに準じたＶＲＡＭ１１を１つ用いているのみであり、横画素数変換部１２でビデオ信号に対応して横方向の画素を変換した後にビデオエンコーダ１３でビデオ信号を作成するようにしているため、無駄にビデオメモリを増やすことなく、エンコーダ回路としての回路規模を極力小さくできる。
【０１７５】
なお、上記図７で説明した液晶パネルの信号電極数を４８０、横画素数変換部５１の倍率を３／２倍（６４０画素の場合）または３倍（３２０画素の場合）としたが、これに限定されない。
【０１７６】
例えば、ＶＲＡＭ１１に横画素数が３２０の画像データが記憶されるとした場合、横画素数変換部５１の倍率を１１／１０倍、２倍、２×１１／１０倍、９／８倍、６／５倍、５／４倍、３倍、または３×１１／１０倍とし、液晶パネルの信号電極数（横画素数）を、３５２画素、６４０画素、７０４画素、３６０画素、３８４画素、４００画素、９６０画素、または１０５６画素とするといった組み合わせが考えられる。
【０１７７】
また、液晶パネルの信号電極数と同じ横方向の画素数を有する輝度色差系のデジタル画像データを液晶エンコーダ１４へ入力し、液晶エンコーダ１４内で補間処理により１．５画素ずらしの画素を新たに作成し、これを液晶表示部１９に出力するようにしてもよい。
【０１７８】
さらに、液晶表示部１９の液晶パネルがデルタ配列の画素構成を有していない場合には、液晶パネルの信号電極数と同じ横方向の画素数を有する輝度色差系のデジタル画像データを横画素数変換部５１で生成して液晶エンコーダ１４へ入力するものとすれば、液晶エンコーダ１４はこれを単に同一画素数の原色系のデータに変換し、変換した画素中の対応する色成分を選択して読出すのみで対応でき、さらに液晶エンコーダ１４の構成を簡略化できる。
【０１７９】
また、モニタ表示部１８がデジタル入力（デジタル放送）に対応している場合は、Ｄ／Ａ変換器１６を省いて、デジタル値のビデオ信号を出力するようにする必要がある。
（第６の実施形態）  
以下本発明をデジタルカメラに備えられるエンコーダ回路に適用した場合の第６の実施形態について図面を参照して説明する。
【０１８０】
図８は、その回路構成を示すもので、基本的には上記図４または図７で示した構成とほぼ同様であるので、同一部分には同一符号を付してその説明を省略する。
【０１８１】
しかして、横画素数変換部１２の前段、ＶＲＡＭ１１の出力するまだビデオ信号用に横画素数が変換されていないＶＧＡに準じた輝度色差系のデジタル画像データが横画素数変換部５１に入力される。
【０１８２】
この横画素数変換部５１は、デジタル画像データの各ライン横方向の構成画素数を３／２倍（または３倍）に増加させるべく相関演算（補間処理）で変換する。
【０１８３】
横画素数変換部５１で横画素数が９６０画素に変換されたデジタル画像データと、横画素数変換部１２を経て横方向の画素数の変換を行なった画像データの双方を一旦スイッチング回路（ＳＷ）２１に入力し、そのいずれか一方の内容のみが切換選択されて液晶エンコーダ１４へ送出されるものとする。
【０１８４】
ここで、表示対象である液晶表示部１９′の液晶パネルとしては、上述したＮＴＳＣ方式のビデオ信号の横方向の画素数に準じた信号電極数（ビデオ信号の横方向の画素数の半分または同一の信号電極数）を有するもののみならず、ＶＧＡに準じた電極数、例えば縦２４０本×横４８０本等の一般的なものも選択可能であるものとする。
【０１８５】
したがって、液晶表示部１９′に使用する液晶パネルに、ビデオ信号の横方向の画素数に準じたものを使用するか、ＶＧＡに準じた信号電極数のものを使用するかに応じて例えばこのデジタルカメラの出荷前に製造者側でスイッチング回路２１の選択状態を切換設定することにより、このエンコーダ回路１０がいずれにも対応可能となり、回路の汎用性を高めることができる。
【０１８６】
さらに、横画素数変換部５１の倍率を適宜変更設定することにより、ＶＧＡに準じた信号電極数が異なる各種の液晶パネルに対応することが可能となる。例えば、ＶＲＡＭ１１に横画素数が３２０の画像データが記憶されるとした場合、横画素数変換部５１の倍率を１１／１０倍、２倍、２×１１／１０倍、９／８倍、６／５倍、５／４倍、３倍、または３×１１／１０倍に設定すれば、信号電極数（横画素数）が、３５２画素、６４０画素、７０４画素、３６０画素、３８４画素、４００画素、９６０画素、または１０５６画素の液晶パネルに対応可能となる。
【０１８７】
以上説明した上記第２、３、及び第７の実施形態では、デジタル画像データのモニタ表示部１８に対するＲＧＢ信号出力と液晶表示部１９、１９´に対するビデオ信号出力とを同時に実行可能な構成について説明したが、いずれか一方の信号出力のみを択一的に実行可能な構成でいいのであれば、第１の実施形態（図２）で説明したエンコーダ回路１０と同様の構成とし、ＲＧＢ信号を出力する場合とビデオ信号出力する場合とで横画素数変換部１２の変換倍率を適宜変更設定するといった構成も考えられる。このように構成した場合はエンコーダ回路としての回路規模をより一層小さくすることができる。
【０１８８】
以上説明した上記第１乃至第６実施形態では、液晶エンコーダ１４から液晶表示部１９（１９′）へ出力するＲＧＢのデジタル画像データは、上記図３（Ｂ）で記号「○」で示したように１画素で１つの色成分のみを選択した内容であり、１色成分あたりの階調数がｎビットであるとすると、液晶エンコーダ１４より上流側の回路系統のように１画素あたり３（色）×ｎビットのパラレル値で伝送する必要はない。
【０１８９】
そのため、ｎビット幅のシリアル伝送で回路を実現するものとしてもよく、これにより、液晶エンコーダ１４と液晶表示部１９（１９′）の間の信号線数を減少し、実装上の回路規模をより縮小できる。
【０１９０】
また、上記第３の実施形態で説明した図５のＰＡＬ用ライン変換部５２は、第１の実施形態の図１のビデオエンコーダ１３の前段、及び第４の実施形態の図６のビデオエンコーダ１３の前段に配するものとしてもよく、いずれにしても上記第３の実施形態で説明した場合と同様に、ＮＴＳＣ方式だけでなくＰＡＬ方式のモニタ表示部１８′をビデオ出力端子１７に接続した場合に対応できる。
【０１９１】
また、上記第１乃至第６の実施形態は、いずれも本発明を液晶パネル用のエンコーダ回路に適用した場合について説明したものであるが、本発明はこれに限るものではなく、他のＥＬ（エレクトロルミネッセンス）パネル等の表示パネル用のエンコーダ回路にも適用することが可能である。
【０１９２】
さらに、上記第１乃至第６の実施形態は、いずれもデジタルカメラに備えられるエンコーダ回路に適用した場合について説明したものであるが、本発明はこれに限るものではなく、原色系のデジタル画像データを用いて液晶パネルに表示する一方で、ビデオ信号の出力を行なうような装置、例えばビデオ出力端子付きの液晶テレビ等のエンコーダ回路にも適用することが可能となる。
【０１９３】
また、上記第１乃至第６の実施形態は、いずれも本発明をデジタルカメラに適用した場合について説明したものであるが、ビデオムービーカメラや、カメラ機能付きの携帯電話端末もしくはＰＤＡ（Ｐｅｒｓｏｎａｌ  Ｄｉｇｉｔａｌ  Ａｓｓｉｓｔａｎｔ：携帯情報端末）もしくはパーソナルコンピュータもしくはテレビジョン受像機など、各種の表示部を有する撮影機能付き機器であれば、いずれの機器にでも本発明を適用することが可能である。
【０１９４】
また、上記第１乃至第６の実施形態は、いずれも本発明を撮影機能付き機器に適用した場合について説明したものであるが、カメラ機能が付いていない、携帯電話端末もしくはＰＤＡ（携帯情報端末）もしくはパーソナルコンピュータもしくはテレビジョン受像機など、各種の表示部を有する機器であれば、いずれの機器にでも本発明を適用することが可能である。
【０１９５】
加えて、上記第１乃至第６の実施形態では、ＹＵＶ信号の形態で保持されているデジタル画像データを、液晶エンコーダ１４でＲＧＢ信号の形態のデジタル画像データに、ビデオエンコーダ１３,１３′でビデオ信号に変換するようにしたが、始めからＲＧＢ信号の形態で保持されているデジタル画像データを、エンコードすることなく液晶表示部１９,１９′に出力し、ビデオエンコーダでビデオ信号に変換するような回路構成も容易に実現できる。
【０１９６】
その他、本発明は上記実施の形態に限らず、その要旨を逸脱しない範囲内で種々変形して実施することが可能であるものとする。
【０１９７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１９８】
【図１】本発明の第１の実施形態に係るデジタルカメラの回路構成を示すブロック図。
【図２】本発明の第１の実施形態に係るエンコーダ回路の構成を示すブロック図。
【図３】同実施形態に係る液晶パネルの画素構成と表示データの対応を示す図。
【図４】本発明の第２の実施形態に係るエンコーダ回路の構成を示すブロック図。
【図５】本発明の第３の実施形態に係るエンコーダ回路の構成を示すブロック図。
【図６】本発明の第４の実施形態に係るエンコーダ回路の構成を示すブロック図。
【図７】本発明の第５の実施形態に係るエンコーダ回路の構成を示すブロック図。
【図８】本発明の第６の実施形態に係るエンコーダ回路の構成を示すブロック図。
【符号の説明】
【０１９９】
１０…エンコーダ回路、１１…ＶＲＡＭ、１２…横画素数変換部、１３，１３′…ビデオエンコーダ、１４…液晶エンコーダ、１５，１５′…ビデオタイミング発振部、１６…Ｄ／Ａ変換器、１７…ビデオ出力端子、１８，１８′…モニタ表示部、１９，１９′…液晶表示部、１９ａ…ソースドライバ、２０…液晶タイミング発振部、２１…スイッチング回路（ＳＷ）、３１…モータ（Ｍ）、３２…レンズ光学系、３３…ＣＣＤ、３４…タイミング発生器（ＴＧ）、３５…垂直ドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４６…キー入力部、４７…ＪＰＥＧ回路、４８…フラッシュメモリ、４９…ＵＳＢインタフェース（Ｉ／Ｆ）、５０…ＵＳＢコネクタ、５１…横画素数変換部、５２…ＰＡＬ用ライン変換部。
【図１】
2004194286.tif 000003
【図２】
2004194286.tif 000004
【図３】
2004194286.tif 000005
【図４】
2004194286.tif 000006
【図５】
2004194286.tif 000007
【図６】
2004194286.tif 000008
【図７】
2004194286.tif 000009
【図８】
2004194286.tif 000010